(57)【特許請求の範囲】
【請求項１】
天板および側板を有し、枠形状である器具本体と、
ＬＥＤ基板と、
前記ＬＥＤ基板の下面に実装される複数のＬＥＤと、
前記複数のＬＥＤの各々に対応して配置される複数の反射板が連結されて構成され、前記器具本体の天板の下側に配置され、かつ、非導電性の反射板部材と、
前記ＬＥＤ基板の上面の上に前記ＬＥＤ基板と熱的に接続されて設けられ、板状であり、前記器具本体の天板の下面との間に所定距離の空間が形成されて、前記天板とは非接触であり、かつ前記器具本体の側板とも非接触である放熱板と、
を備え、
前記反射板部材は、上方に突出する突出部であるボス部を有し、前記ＬＥＤ基板および前記放熱板は前記ボス部に固定され、
前記ＬＥＤ基板が前記ボス部に固定された状態では、前記ＬＥＤ基板は、前記所定距離の空間で前記器具本体の天板から隔てられ、かつ前記器具本体の前記側板とも非接触であり、前記ＬＥＤ基板および前記放熱板は前記器具本体と電気的に絶縁され、
前記所定距離の空間における前記所定距離は、前記ＬＥＤ基板の下面から前記各反射板の最下端までの距離である前記各反射板の高さよりも小さく設定され、前記ＬＥＤ基板の熱は、前記放熱板を介して前記所定距離の空間に放熱され、前記所定距離の空間の熱は前記器具本体の天板の上側に放熱され、前記所定距離の空間は熱的な飽和状態となる照明器具。
【請求項２】
請求項１に記載の照明器具において、
前記器具本体の前記天板に開口部が設けられ、前記開口部を覆って、熱伝導性の蓋部材が設けられ、前記所定距離の空間は密閉された空間である照明器具。
【請求項３】
請求項２に記載の照明器具において、
前記蓋部材を覆うように点灯装置箱が設けられ、前記点灯装置箱の空間内に点灯装置が収容される照明器具。
【発明の詳細な説明】
【技術分野】
【０００１】
本発明は、ＬＥＤを光源として例えば店舗や施設のベースライト等に適用される照明器具に関する。
【背景技術】
【０００２】
従来より、複数のＬＥＤ光源および反射板をパネルに収容した照明器具が知られている（例えば、特許文献１参照）。
【先行技術文献】
【特許文献】
【０００３】
【特許文献１】特開２００８−２７０１４４号公報（図２、段落００２８）
【発明の概要】
【発明が解決しようとする課題】
【０００４】
前述した特許文献１に記載された照明器具は、反射板が複数のＬＥＤ光源をそれぞれ取り囲んで配置されているために、複数のＬＥＤ光源からの光を床面に向けて照射することができる。
ところで、前述した特許文献１に記載された照明器具と同様に、複数のＬＥＤ光源および反射板をパネルに収容した照明器具が提案されている。
【０００５】
図６に示すように、このような従来の照明器具１００は、ＬＥＤ光源１０１の前面に反射板１０２とパネル１０３とが金属製の器具本体１０４に取り付けられている。照明器具１００は、ＬＥＤ光源１０１の放熱を効率良く行うためにＬＥＤ光源１０１が実装されたＬＥＤ基板１０５が放熱シート１０６を介して金属製の取付板１０７に取り付けられている。また、照明器具１００は、ＬＥＤ基板１０５を絶縁するために取付板１０７とＬＥＤ基板１０５との間に絶縁シート１０８が組付けられている。
【０００６】
しかし、このような従来の照明器具１００は、ＬＥＤ基板１０５を絶縁するために、取付板１０７とＬＥＤ基板１０５との間に絶縁シート１０８が組付けられている。
従って、このような従来の照明器具１００は、絶縁構造に係る部品点数が多くなって絶縁構造を容易に形成できない。
【０００７】
また、このような従来の照明器具１００は、ＬＥＤ光源１０１を放熱するために、ＬＥＤ基板１０５が放熱シート１０６を介して取付板１０７に取り付けられている。
従って、このような従来の照明器具１００は、放熱構造に係る部品点数が多くなって放熱構造を容易に形成できない。
【０００８】
さらに、このような従来の照明器具１００は、組み立てにあたり、ＬＥＤ基板１０５に放熱シート１０６を取り付ける作業と、取付板１０７に絶縁シート１０８を取り付ける作業と、放熱シート１０６が取り付けられたＬＥＤ基板１０５を、絶縁シート１０８が取り付けられた取付板１０７に取り付ける作業との複数の作業を行うために、組立作業性が悪い。
【０００９】
本発明は、前述した課題を解決するためになされたものであり、その目的は、絶縁構造および放熱構造を簡素にできるとともに組立作業性をよくできる照明器具を提供することにある。
【課題を解決するための手段】
【００１０】
本発明に係る照明器具は、天板および側板を有し、枠形状である器具本体と、ＬＥＤ基板と、前記ＬＥＤ基板の下面に実装される複数のＬＥＤと、前記複数のＬＥＤの各々に対応して配置される複数の反射板が連結されて構成され、前記器具本体の天板の下側に配置され、かつ、非導電性の反射板部材と、前記ＬＥＤ基板の上面の上に前記ＬＥＤ基板と熱的に接続されて設けられ、板状であり、前記器具本体の天板の下面との間に所定距離の空間が形成されて、前記天板とは非接触であり、かつ前記器具本体の側板とも非接触である放熱板と、を備え、前記反射板部材は、上方に突出する突出部であるボス部を有し、前記ＬＥＤ基板および前記放熱板は前記ボス部に固定され、前記ＬＥＤ基板が前記ボス部に固定された状態では、前記ＬＥＤ基板は、前記所定距離の空間で前記器具本体の天板から隔てられ、かつ前記器具本体の前記側板とも非接触であり、前記ＬＥＤ基板および前記放熱板は前記器具本体と電気的に絶縁され、前記所定距離の空間における前記所定距離は、前記ＬＥＤ基板の下面から前記各反射板の最下端までの距離である前記各反射板の高さよりも小さく設定され、前記ＬＥＤ基板の熱は、前記放熱板を介して前記所定距離の空間に放熱され、前記所定距離の空間の熱は前記器具本体の天板の上側に放熱され、前記所定距離の空間は熱的な飽和状態となる。
【００１１】
本発明に係る照明器具は、前記器具本体の前記天板に開口部が設けられ、前記開口部を覆って、熱伝導性の蓋部材が設けられ、前記所定距離の空間は密閉された空間である。
【００１２】
本発明に係る照明器具は、前記蓋部材を覆うように点灯装置箱が設けられ、前記点灯装置箱の空間内に点灯装置が収容される。
【発明の効果】
【００１３】
本発明に係る照明器具によれば、絶縁構造および放熱構造を簡素にできるとともに組立作業性をよくできるという効果を奏する。
【図面の簡単な説明】
【００１４】
【図１】本発明に係る一実施形態の照明器具の斜め下方から視た外観斜視図
【図２】図１の照明器具の斜め上方から視た外観斜視図
【図３】図１の照明器具のＬＥＤユニット周りの分解斜視図
【図４】図１の照明器具の組立手順を説明する側面図
【図５】図１の照明器具の要部の断面図
【図６】従来の照明器具の組立手順を説明する断面図
【発明を実施するための形態】
【００１５】
以下、本発明に係る一実施形態の照明器具について図面を参照して説明する。
本発明に係る一実施形態の照明器具１０は、天板１２と側板１３とを有して枠形状に形成された器具本体１１と、複数のＬＥＤ光源１５を実装した単一のＬＥＤ基板１６を有して器具本体１１の長手方向に複数配列されたＬＥＤユニット１４と、ＬＥＤユニット１４の上面に取り付けられる放熱板１７と、放熱板１７の上方において器具本体１１の天板１２に取り付けられる蓋部材１８と、複数のＬＥＤ光源１５に対応した複数の反射板２０を有してＬＥＤユニット１４のそれぞれに組付けられた複数の反射板部材１９と、複数の反射板部材１９と同数であって複数の反射板部材１９に組付けられる複数のパネル２１と、点灯装置２２とを備えて店舗や施設の天井施工面に直接取り付けられて設置されるベースライトに適用される。
【００１６】
図１に本発明に係る一実施形態の照明器具１０の斜め下方から視た外観斜視図を示し、図２に照明器具１０の斜め上方から視た外観斜視図を示す。
図１に示すように、照明器具１０は、器具本体１１が金属製であって複数のＬＥＤユニット１４を側板１３の長手方向に収容している。単一のＬＥＤユニット１４は、器具本体１１の幅方向および長手方向に複数のＬＥＤ光源（図３参照)１５を配置している。
図２に示すように、点灯装置２２は、器具本体１１の上部に取り付けられた点灯装置箱２３内に収容されている。点灯装置２２は、不図示のＡＣ／ＤＣコンバータやインバータ回路等であり、駆動により商用電源を直流電源に変換してＬＥＤ基板１６に有するプリント回路に供給してＬＥＤ光源１５を発光させる。
【００１７】
図３に照明器具１０のＬＥＤユニット１４周りの分解斜視図を示す。
図３に示すように、ＬＥＤユニット１４の上面に取り付けられる放熱板１７は、放熱性を有するアルミニウムを基材としてＬＥＤ基板１６の外形に相似する四角形の板形状に形成されている。放熱板１７はＬＥＤ基板１６に熱的に接続されているために、ＬＥＤ光源１５が発した熱を上方に放熱する。
【００１８】
反射板部材１９は、例えば白色の硬質な樹脂材料を基材として器具本体１１の天板１２の内側に収容される外形を有して形成されている。反射板部材１９には、ＬＥＤ光源１５の数と同数の反射板２０が連結して形成されている。反射板２０は頂部開口２４を有する。頂部開口２４はＬＥＤ光源１５に一致して組み立てられる。
【００１９】
パネル２１は、透明なアクリル樹脂材料を用いて反射板部材１９を覆う形状に形成されている。パネル２１は意匠性を有する化粧パネルである。パネル２１は、底板２５を有するとともに、底板２５において器具本体１１の長手方向の端部側に配置される端板２６を有する。パネル２１は、器具本体１１の長手方向に直交する側部に側板２７を有し、側板２７の上端部にフランジ２８を有する。
【００２０】
図４に照明器具１０の組立手順を説明する側面図を示す。
図４に示すように、反射板部材１９は、反射板２０から上方へ向けて突出された複数のＬＥＤ基板取付用ボス２９を有する。反射板部材１９は、反射板２０の頂部開口２４内にＬＥＤ光源１５を配置するようにＬＥＤ基板１６をＬＥＤ基板取付用ボス２９上に配置する。そして、ＬＥＤ基板１６は、ＬＥＤ基板取付用ボス２９にねじ（図５参照）３０がねじ込まれることにより反射板部材１９に固定される。
【００２１】
このとき、ＬＥＤ基板１６は、樹脂製の反射板部材１９に固定されるだけで、器具本体１１に非接触で絶縁されるために、従来のもののように、絶縁構造に係る部品点数が多くならずに絶縁構造を容易に形成できる。
【００２２】
反射板部材１９の上部に固定されたＬＥＤ基板１６の上部に放熱板１７が配置される。放熱板１７は、ＬＥＤ基板１６上に配置されてから、ＬＥＤ基板１６の固定用のねじ３０により放熱板１７とともに反射板部材１９にねじ止めされる。放熱板１７は器具本体１１に対して非接触に配置される。蓋部材１８は、金属製であって放熱板１７およびＬＥＤ基板１６よりも大きい外形を有し、器具本体１１の天板１２に有する開口部３１を覆って天板１２に取り付けられる。パネル２１は、そのフランジ２８が器具本体１１の側板１３に支持されている。
このとき、ＬＥＤ基板１６に熱的に接続された放熱板１７が器具本体１１に対して非接触に配置されるために、ＬＥＤ基板１６とともに放熱板１７を器具本体１１に対して確実に絶縁できる。
【００２３】
図５に照明器具１０の要部の断面図を示す。
図５に示すように、蓋部材１８は、器具本体１１の天板１２に有する開口部３１を覆って天板１２に取り付けられる。そのため、蓋部材１８は、放熱板１７から、例えば２．３ｍｍの空間距離Ｌ１を介して放熱板１７から離れて配置されるために、パネル２１により下方を閉塞された器具本体１１の内部空間の上部を閉塞して密閉空間３２を形成する。
【００２４】
このとき、蓋部材１８は、器具本体１１の天板１２に有する開口部３１を覆って天板１２に取り付けられるために、ＬＥＤ光源１５からの熱を外部へ放熱できるとともに、密閉空間３２内への埃等の侵入を防止でき、静電気の発生を防止できる。
【００２５】
また、蓋部材１８は、放熱板１７から予め定められた空間距離Ｌ１を介して離れて配置されるために、この空間距離Ｌ１により絶縁構造を確保できるとともに、ＬＥＤ光源１５からの熱を、放熱板１７を介して放熱させ、その熱を、空間距離Ｌ１を有する空間において飽和させることにより温度を低減できる。
【００２６】
以上、説明した本発明に係る一実施形態の照明器具１０は、ＬＥＤ基板１６が樹脂製の反射板部材１９に固定されるだけで器具本体１１に非接触で絶縁される。
従って、本発明に係る一実施形態の照明器具１０は、従来のもののように、絶縁構造に係る部品点数が多くならずに絶縁構造および放熱構造を簡素にできるとともに組立作業性をよくできる。
【００２７】
また、本発明に係る一実施形態の照明器具１０は、ＬＥＤ基板１５上に放熱板１７が取り付けられて、放熱板１７が器具本体１１に対して非接触に配置される。
従って、本発明に係る一実施形態の照明器具１０は、ＬＥＤ基板１６に熱的に接続された放熱板１７が器具本体１１に対して非接触に配置されることによりＬＥＤ基板１６とともに放熱板１７を金属製の器具本体１１から確実に絶縁できる。
【００２８】
そして、本発明に係る一実施形態の照明器具１０は、蓋部材１８が器具本体１１の天板１２に有する開口部３１を覆って天板１２に取り付けられることにより、パネル２１により下方を閉塞された器具本体１１の内部空間の上部を閉塞して密閉空間３２が形成される。また、蓋部材１８が放熱板１７から予め定められた空間距離Ｌ１を介して離れて配置される。
【００２９】
従って、本発明に係る一実施形態の照明器具１０は、蓋部材１８により、密閉空間３２内への埃等の侵入を防止できるとともに静電気の発生を防止でき、空間距離Ｌ１により絶縁構造を確保できるとともにＬＥＤ光源１５からの熱を放熱板１７により放熱させ、空間距離Ｌ１を有する空間において飽和させることにより温度を低減できる。
【００３０】
なお、本発明の照明器具において器具本体，ＬＥＤ光源，反射板部材等は、前述した実施形態に限定されるものでなく、適宜な変形や改良等が可能である。
【符号の説明】
【００３１】
１０  照明器具
１１  器具本体
１６  ＬＥＤ基板
１７  放熱板
１８  蓋部材
１９  反射板部材（反射板）
２０  反射板
３２  密閉空間
【図１】
0005635326.tif 000002
【図２】
0005635326.tif 000003
【図３】
0005635326.tif 000004
【図４】
0005635326.tif 000005
【図５】
0005635326.tif 000006
【図６】
0005635326.tif 000007